(57)【要約】【課題】保温性に差のある２以上の敷き布団を着脱自在に一体化し、四季の温度変化に応じて上記２以上の敷き布団を着脱して敷き布団全体の保温性を調整できるようにした複合敷き布団において、その保温性を調整すべき時期の到来を使用者が容易に知ることができ、もって保温性の調整時期を誤らないようにしたものである。【解決手段】内側布団２０が通気性と肌触りの良好な織物もしくは編物からなる開閉自在の中袋２２に硬わた様のクッション性を備え、かつ通気性に優れた板状の支持マット２１を挿入してなり、外側布団３０が表地３１と中地３２間に保温性の良好な中わた３３を挟みキルティング部３４で接結してなるクッション地により開閉自在な袋状に形成されており、内側布団２０および外側布団３０の各表面に、夏季の始期および終期に環境温度の変化に応じて可逆的に変色する布帛製の感温センサーＳが固定される。【選択図】      図１
0003120836.tif 000002
【実用新案登録請求の範囲】
【請求項１】
保温性に差のある２枚以上の敷き布団を着脱自在に一体化し、四季の温度変化に応じて上記２枚以上の敷き布団の上下を交換したり、一部を外したりして敷き布団全体の保温性を調整できるようにした複合敷き布団において、上記２枚以上の敷き布団が内側布団と該内側布団を挿入可能な袋状の外側布団とからなり、上記の内側布団が通気性と肌触りの良好な織物もしくは編物からなる開閉自在の中袋に硬わた様のクッション性を備え、かつ通気性に優れた板状の支持マットを挿入してなり、上記の外側布団が表地と中地間に保温性の良好な中わたを挟みキルティングで接結してなるクッション地により開閉自在な袋状に形成されており、上記の内側布団および外側布団の各表面に、夏季の始期および終期に環境温度の変化に応じて可逆的に変色する布帛製の感温センサーが固定されていることを特徴とする複合敷き布団。
【請求項２】
感温センサーが環境の温度上昇に伴って温度２０〜３０℃の範囲内で変色を開始し、かつ終了するものである請求項１記載の複合敷き布団。
【請求項３】
支持マットが熱可塑性エラストマーの線条を高温下で押出し、その直後に急冷しながら平面上に集めて線条相互の接触部を融着して得られたスパンボンド不織布状の構造とへちま状の空隙を備えた絡合構造物である請求項１または２に記載の複合敷き布団。
【請求項４】
中袋が表地、裏地およびこれらの表地と裏地とを接続する柱糸からなるダブルラッセル編地で形成され、上記の表地が肌触りおよび吸湿性に優れた繊維素系繊維糸で形成され、上記の裏地が透湿性に優れた合成繊維のマルチフィラメント糸で形成され、上記の柱糸がクッション性に優れた合成繊維のマルチフィラメント糸で形成された請求項１ないし３のいずれかに記載の複合敷き布団。
【請求項５】
外側布団の中わたが中空ポリエステル繊維からなる請求項１ないし４のいずれかに記載の複合敷き布団。
【考案の詳細な説明】
【技術分野】
【０００１】
この考案は、家庭で使用する敷き布団に関し、四季の温度変化に応じて敷き布団の保温性を容易に調整できるようにしたものである。
【背景技術】
【０００２】
四季の温度変化に応じて敷き布団の保温性を調整できるようにしたものとして、保温性に差のある２以上の敷き布団を着脱自在に一体化した複合敷き布団が知られている。例えば、下記の特許文献１には、硬わた様のクッション性および通気性を備えた板状の支持マットと、保温性が良好な繊維を中わたに用いた保温パッドと、表地と中地間に通常の中わたを挟みキルティングで接結してなるクッション地により形成された開閉自在の袋状クッションとからなり、この袋状クッションに上記の支持マットおよび保温パッドを重ねた状態で挿入した複合敷き布団が記載されている。
【特許文献１】実用新案登録第３０４４００９号公報
【０００３】
上記の特許文献１に記載された複合敷き布団は、春と秋には袋状クッションに支持マットと保温パッドの双方を入れて使用し、冬季には袋状クッションに支持マットのみを入れ、袋状クッションの上に保温パッドを重ねて使用し、また夏季には支持マットのみを取り出して使用し、袋状クッションと保温パッドを収納することにより、季節を問わず一年中、布団の内側を理想的な温度に保ち、快適な睡眠を可能にする。しかしながら、上記の敷き布団は、その支持マットや保温パッドの入れ替え時期を敷き布団の使用者が判断するものであるため、入れ替え時期が早過ぎたり遅れたりすることがあり、そのような場合は快適な睡眠が得られなかった。
【考案の開示】
【考案が解決しようとする課題】
【０００４】
この考案は、保温性に差のある２以上の敷き布団を着脱自在に一体化し、四季の温度変化に応じて上記２以上の敷き布団を着脱して敷き布団全体の保温性を調整できるようにした複合敷き布団において、その保温性を調整すべき時期の到来を使用者が容易に知ることができ、もって保温性の調整時期を誤らないようにしたものである。
【課題を解決するための手段】
【０００５】
この考案に係る複合敷き布団は、保温性に差のある２枚以上の敷き布団を着脱自在に一体化し、四季の温度変化に応じて上記２枚以上の敷き布団の上下を交換したり、一部を外したりして敷き布団全体の保温性を調整できるようにした複合敷き布団において、上記２枚以上の敷き布団が内側布団と該内側布団を挿入可能な袋状の外側布団とからなり、上記の内側布団が通気性と肌触りの良好な織物もしくは編物からなる開閉自在の中袋に硬わた様のクッション性を備え、かつ通気性に優れた板状の支持マットを挿入してなり、上記の外側布団が表地と中地間に保温性の良好な中わたを挟みキルティングで接結してなるクッション地により開閉自在な袋状に形成されており、上記の内側布団および外側布団の各表面に、夏季の始期および終期に環境温度の変化に応じて可逆的に変色する布帛製の感温センサーが固定されていることを特徴とする。
【０００６】
上記の複合敷き布団は、袋状の外側布団の中に内側布団を挿入した状態では、外側布団に保温性の中わたが入っているため、敷き布団全体の保温性が良好となり、春秋冬の時期に暖かく就寝することができる。また、上記の内側布団は、通気性と肌触りの良好な織物もしくは編物からなる開閉自在の中袋に硬わた様のクッション性を備え、かつ通気性に優れた板状の支持マットを挿入したものであるから、夏の時期に袋状の外側布団から取出し、内側布団を単独で用いたり、該内側布団を外側布団の上に重ねて用いたりすることにより、涼しく就寝することができる。
【０００７】
そして、外側布団の中に内側布団を入れて用いている状態で夏季に入ると、外側布団の表面に固定されている感温センサーがＡ色（例えば、赤等の暖色）からＢ色（例えば、青等の寒色）に変色して夏季の到来が視覚を通じて使用者に知らされ、敷き布団を涼しい状態に衣替えすべきこと、すなわち外側布団から内側布団を取出すことが促される。また、夏季に内側布団を使用している状態で秋季に入ると内側布団の表面に固定されている感温センサーがＢ色（例えば、青等の寒色）からＡ色（例えば、赤等の暖色）に変色して、秋季の到来が視覚を通じて使用者に知らされ、敷き布団を保温性の良好な状態に衣替えすべきこと、すなわち内側布団を外側布団の中に挿入すべきことが促される。
【０００８】
この考案で用いる感温センサーは布帛製であるため、外側布団および内側布団の各表面すなわち外側布団の表地表面および内側布団の中袋表面にそれぞれ縫着により容易に固定することができ、かつ敷き布団として就寝に使用して違和感が生じない。なお、上記布帛製の感温センサーは、環境温度の変化に応じて可逆的に変色する顔料を含む市販の感温インクで布帛を染色して得られる。そして、上記の感温センサーは、温度２０〜３０℃の範囲内、特に２５〜２８℃の範囲内で低温時の基準色（例えば、赤色）から変色を開始し、かつ完了して高温時の基準色（例えば、青）となるものが好ましい。
【０００９】
内側布団を構成する支持マットは、硬わた様のクッション性を備え、かつ通気性に優れた板状の支持マットである。具体的には、ポリウレタンやポリエチレン等の合成樹脂からなる連続気泡付き発泡体、太い繊度の合成繊維を用い、ダブルラッセル編み機で編成した表地、裏地およびこれら表地と裏地を接続する柱糸からなる二重編地、並びに熱可塑性エラストマーの線条を高温下で押出し、その直後に急冷しながら平面上に集めて線条相互の接触部を融着して得られたスパンボンド不織布状の構造とへちま状の空隙を備えた絡合構造物等が例示される。上記の支持マットは、密度０．０２５〜０．０４５ｇ／ｃｍ3、見掛けの厚み２０〜５０ｍｍのものが好ましい。密度または厚みが不足すると、寝たときに床付き感が生じ、反対に過剰になると収納時の折畳みが困難になり、かつ重くなって取扱いが困難になる。
【００１０】
上記内側布団の中袋用布地は、通気性と肌触りの良好な織物もしくは編物であれば任意であるが、表地、裏地およびこれらの表地と裏地とを接続する柱糸からなるダブルラッセル編地であって、上記の表地が肌触りおよび吸湿性に優れた繊維素系繊維糸で形成され、上記の裏地が透湿性に優れた合成繊維のマルチフィラメント糸で形成され、上記の柱糸がクッション性に優れた合成繊維のマルチフィラメント糸で形成されたものは、通気性および肌触りが良好であると共に、クッション性も良好な点で好ましい。ただし、上記ダブルラッセル編地の目付量は３００〜５００ｇ／ｍ2が、また見掛けの厚みは３〜１０ｍｍがそれぞれ好ましく、目付量または厚みが不足すると床付感が感じられ、反対に過大になると重くなり、収納時に負担がかかる。
【００１１】
前記外側布団の中わたには、ウール、綿などの天然繊維、ポリエステル、アクリル等の合成繊維、またこれらの混合物が、また羽毛がそれぞれ使用可能であるが、中空ポリエステル繊維は保温性に優れ、かつ家庭用洗濯機によるお洗濯が可能である点で特に好ましい。なお、上記中わたの目付量は、１５０〜５００ｇ／ｍ2が好ましく、１５０ｇ／ｍ2未満では冬季での保温性が不足し、反対に５００ｇ／ｍ2を超えると、外側布団の重量および嵩張りが過大となって、収納作業が困難となる。
【考案の効果】
【００１２】
この考案に係る複合敷き布団は、袋状の外側布団の中に内側布団を挿入した状態では、全体として保温性が良好となり、春秋冬の時期に安眠が可能となり、内側布団を取出した状態では保温性が低下し通気性が良好になって夏季の安眠が可能となる。そして、外側布団および内側布団それぞれの表面に感温センサーが固定されていて、春秋冬向けの使用状態で夏季に入ると、布団使用者は、外側布団表面の感温センサーの変色によって敷き布団を涼しい状態に衣替えすべきことを視覚を通じて促され、また夏季向けの使用状態で秋季に入ると、布団使用者は、内側布団表面の感温センサーの変色によって敷き布団を保温性の良好な状態に衣替えすべきことを視覚を通じて促され、そのため敷き布団の衣替え時期を誤ることが無くなり、四季を問わずに安眠することが容易になる。しかも、感温センサーが布帛製であるため、敷き布団に固定しても違和感が生じない。
【００１３】
特に請求項２に係る考案は、感温センサーの変色温度を限定したものであるから、万人向きの複合敷き布団が得られる。また、請求項３に係る考案は、内側布団の支持マットを熱可塑性エラストマーの線条からなる特定の絡合構造物に限定したものであるから、夏季向けとして特にクッション性および通気性に優れた内側布団が得られる。また、請求項４に係る考案は、内側布団の中袋を特定のダブルラッセル編地に限定したものであるから、内側布団のクッション性および通気性が一層良好になる。また、請求項５に係る考案は、外側布団の中わたを中空ポリエステル繊維に限定したものであるから、冬季用としての保温性が向上すると共に、外側布団を家庭用洗濯機で丸洗いすることが可能になる。
【考案を実施するための最良の形態】
【００１４】
実施形態１
図１は複合敷き布団１０の断面図を示し、この複合敷き布団１０は内側布団２０と、この内側布団２０を包む袋状の外側布団３０とで構成される。そして、内側布団２０は、支持マット２１と、これを包む中袋２２とで構成される。上記の支持マット２１は、ポリエステル系熱可塑性エラストマーからなる線条を高温下で押出し、その直後に急冷しながら平面上に集めて線条相互の接触部を融着して得られたスパンボンド不織布状の構造とへちま状の空隙を備えた絡合構造物であり、上記の線条は直径０．４〜０．８ｍｍの太さを有し、この線条により、支持マット２１は、密度０．０２５〜０．０４５ｇ／ｃｍ3、見掛けの厚み２０〜５０ｍｍの板状に形成される。
【００１５】
支持マット２１を包む中袋２２は、図２に示されるダブルラッセル編地２３で作られる。このダブルラッセル編地２３は、表地２３ａおよび裏地２３ｂを柱糸２３ｃで連結した二重構造の編地であり、表地２３ａは肌触りが良く、吸湿性に優れた綿糸（２０〜６０番手）からなり、裏地２３ｂは透湿性に優れたポリエステルマルチフィラメント糸（１００〜２００ｄｔ）からなり、この表地２３ａおよび裏地２３ｂが弾性に優れたナイロンマルチフィラメント糸（３０〜６０ｄｔ）で連結され、厚み３〜１０ｍｍ、目付量３００〜５００ｇ／ｍ2の編地に形成される。そして、上記のダブルラッセル編地２３は、表地２３ａを外に向け、かつ支持マット２１を包むことが可能な中袋２２に形成され、その開口部２４（図１参照）に開閉用の紐２５が取付けられる。
【００１６】
上記の内側布団２０を包む外側布団３０は（図１参照）、表地３１と中地３２との間に中わた３３を挟み、格子状その他の任意の模様状キルティング部３４で接結してなるクッション地により開閉自在な袋状に形成され、開口部３５にスライドファスナー３６を取付けて開閉自在に形成したものである。なお、表地３１および中地３２には比較的緻密なポリエステル綿混織物が用いられ、この表地３１と中地３２の間に中空ポリエステル繊維からなる中わた３３が１５０〜５００ｇ／ｍ2の目付量で充填される。
【００１７】
上記の内側布団２０および外側布団３０の各表面には感温センサーＳが縫着により固定される。この感温センサーＳとしては、環境温度の上昇に伴う変色の開始温度および完了温度が２０〜３０℃、好ましくは２２〜２８℃の範囲にあり、低温時にピンク系に発色し、高温時にブルー系に発色するものが選択される。
【００１８】
上記の複合敷き布団１０は、秋から春の間は、外側布団３０の中に内側布団２０を挿入して使用される。そして、春から夏に移る際、気温が２０℃以上の或る温度に達すると、外側布団３０および内側布団２０の各表面でピンク系に発色している感温センサーＳが変色を開始し、気温が３０℃に達するまでの間に変色を完了してブルー系に発色する。そこで、変色の開始から完了までの間に、外側布団３０から内側布団２０を取出し、外側布団３０の上に重ねたり、内側布団２０のみを用いたりして就寝することにより、夏季の安眠が可能になる。そして、夏から秋に向かう際は、気温が３０℃以下の或る温度に達すると、上記のブルー系に発色中の感温センサーＳが変色を開始し、気温が２０℃に達するまでの間に変色を完了してピンク系に変色する。そこで、この間に外側布団３０に内側布団２０を挿入することにより、敷き布団の保温性が向上し、秋から夏になるまでの間の安眠が可能になる。
【００１９】
実施形態２
上記の実施形態１において、外側布団３０の中わた３３を、中空ポリエステル繊維わた１００％から中空ポリエステル繊維わた５０％とウール５０％の混合わたに変更し、その他は実施形態１と同様にして複合敷き布団とする。
【００２０】
実施形態３
上記の実施形態１において、その支持マット２１として、前記のポリエステル系熱可塑性エラストマー線条からなる絡合構造物に代えてダブルラッセル編地が用いられる。ただし、このダブルラッセル編地は、その表地および裏地が２５０〜３００ｄｔのポリエステルマルチフィラメント糸からなり、これらの表地および裏地を接結する柱糸に１０００〜１５００ｄｔのポリエステルモノフィラメント糸を用いた厚み２０〜５０ｍｍ、目付量５００〜１８００ｇ／ｍ2の編地であり、その他は実施形態１と同様である。
【実施例】
【００２１】
実施例１
前記の実施形態１において、内側布団２０の支持マット２１として、ポリエステル系熱可塑性エラストマー（東洋紡績株式会社製、商品名「ペルプレン」）の線条からなる絡合構造物（東洋紡績株式会社製、商品名「ブレスエアー」、密度０．０４ｇ／ｃｍ3、厚み３５ｍｍ）を用い、この支持マット２１を包む中袋２２として、図２に示されるダブルラッセル編地２３であって、表地２３ａが綿糸（３０番手）からなり、裏地２３ｂがポリエステルマルチフィラメント糸（１６７ｄｔ）からなり、柱糸２３ｃにナイロンマルチフィラメント糸（５６ｄｔ）を用いた厚み５ｍｍ、目付量３７０ｇ／ｍ2の編地を用いて、内側布団２０を試作した。一方、外側布団３０は、表地３１および中地３２としてポリエステル綿混織物（ポリエステル／綿の混紡率８０／２０、目付量１１０ｇ／ｍ2）を用い、この表地３１と中地３２の間に中空ポリエステル繊維（東洋紡績株式会社製、商品名「コンフォロフト」）からなる中わた３３を３００ｇ／ｍ2の目付量で充填し、キルティングを施して作った。
【００２２】
そして、上記の内側布団２０の中袋２２および外側布団３０の表地３１の各表面に感温センサーＳを縫着した。ただし、この感温センサーＳは、織物に感温性インキ（株式会社松井色素化学工業所製、商品名「クロミカラーＡＱインキ」）を捺染したものであり、低温域ではピンクを呈し、また高温域ではブルーを呈し、ピンクの状態から環境温度が上昇して２２℃になると変色を開始し、更に温度が上昇して２８℃になると変色が完了してブルーを発色するものである。
【００２３】
実施例２
上記の実施例１において、外側布団３０の中わた３３を前記実施形態２の中わた、すなわち中空ポリエステル繊維（東洋紡績株式会社製「コンフォロフト」）とウールの５０／５０混合わたに変更し、その他は実施例１と同様にして実施例２の複合敷き布団を製作した。
【００２４】
実施例３
前記の実施例１において、内側布団２０の支持マット２１を前記実施形態３の支持マットすなわちダブルラッセル編地であって、その表地および裏地がポリエステルマルチフィラメント糸（２８０ｄｔ）からなり、これらを接結する柱糸にポリエステルモノフィラメント糸（１１００ｄｔ）を用いた密度０．０３ｇ／ｃｍ3、厚み３５ｍｍの編地（日東紡績株式会社製、商品名「パラマックス」）を用い、その他は実施例１と同様にして実施例３の複合敷き布団を作った。
【００２５】
比較例１
図１の支持マット２１としてポリウレタンの発泡体（密度０．０３ｇ／ｃｍ3、厚み３５ｍｍ）を用い、これを中袋２２に入れることなく、そのまま外側布団３０に挿入した。ただし、外側布団３０の表地３１および裏地３２には、綿織物（目付量１２０ｇ／ｍ2）を用い、中わたには前記実施例２の中空ポリエステル繊維とウールの５０／５０混合わたを５００ｇ／ｍ2の目付量で充填し、比較例１の複合敷き布団を得た。
【００２６】
上記の実施例１〜３および比較例１の敷き布団を就寝に使用し、敷き布団上の温度、湿度を比較した。すなわち、試験室の温度、湿度を冬場用として温度１０℃、湿度６０％に、また夏場用として２７℃、６０％にそれぞれ設定し、掛け布団には冬場用として羽毛掛け布団（羽毛量１．３ｋｇ入り、ダウン／フェザーの混合比：９０／１０）を用い、夏場用には肌掛け布団（ポリエステル中わた量０．４ｋｇ）を用い、２名の男性を被験者とし、冬場は被験者と外側布団３０との間の温度・湿度を、また夏場は被験者と内側布団２０との間の温度・湿度をそれぞれ測定し、その結果を下記の表１に示した。
【００２７】
表１
試料              実施例１      実施例２      実施例３      比較例１
冬場温度（℃）    ３１．５      ３２．０      ３１．５      ３２．２
冬場湿度（％）    ５０          ５３          ５０          ６８
夏場温度（℃）    ３２．０      ３２．１      ３１．９      ３３．５
夏場湿度（％）    ５５          ５８          ５８          ７５
【００２８】
布団内側の温度は３２±１℃が、また湿度は５０±１０％がそれぞれ理想値とされているが、実施例１〜３はいずれも上記の理想値を満たしていたのに対し、比較例１は夏場の温度および湿度が理想値を超えて蒸し暑くなっていた。
【図面の簡単な説明】
【００２９】
【図１】実施例の断面図である。
【図２】内側布団の中袋用ダブルラッセル編地の断面図である。
【符号の説明】
【００３０】
Ｓ：感温センサー、１０：複合敷き布団
２０：内側布団、２１：支持マット、２２：中袋、２３：ダブルラッセル編地
３０：外側布団、３１：表地、３２：中地、３３：中わた、３４：キルティング部
【図１】
0003120836.tif 000003
【図２】
0003120836.tif 000004